(57)【特許請求の範囲】
【請求項１】
球ならしを支持部材と球ならし本体の二部材に分割して形成し、支持部材はタンクレールの上方の横軸の直径より大きく形成した軸通孔を有する筒部に支持片を一体に設けると共に、該支持片に短軸を突設し、球ならし本体はタンクレールの球通路の通路巾とほぼ等しい厚さを有する立体形とすると共に、上端に透孔を穿設し、球ならし本体の透孔を支持部材の短軸に挿通して該球ならし本体を支持部材に揺動自在に取付けると共に、支持部材の軸通孔を前記横軸に挿通して該支持部材を横軸に揺動自在に取付けるように構成してなることを特徴とするパチンコ機のタンクレールに付設する球ならし構造。
【請求項２】
球ならし本体の透孔の直径を短軸の直径より大きく形成したことを特徴とする請求項１記載のパチンコ機のタンクレールに付設する球ならし構造。
【請求項３】
球ならし本体の下端にローラーを設けたことを特徴とする請求項１または２記載のパチンコ機のタンクレールに付設する球ならし構造。
【発明の詳細な説明】
【０００１】
【産業上の利用分野】
本発明は、パチンコ機のタンクレールに付設する球ならし構造に関するものである。
【０００２】
【従来の技術】
従来のパチンコ機においては、遊技盤の裏面上部に球タンクを配設し、該球タンクのパチンコ球をタンクレールによりパチンコ球払出装置に流送するようにしている。そして、図７に示すようにタンクレール１００の上方に横軸１０１を設け、該横軸１０１に球ならし１０２を揺動自在に取付けている。この球ならし１０２は周知のようにタンクレール１００のパチンコ球が重なって流下するようなことがあるとその重なったパチンコ球を側面で受け止めて一列に整列させる作用を果たすものであり、このため球ならし１０２には重なったパチンコ球の球圧にある程度打勝つように重錘１０３が設けられている。
【０００３】
【発明が解決しようとする課題】
ところで、従来の球ならし１０２は単に該球ならし１０２の上端の軸通孔１０４を横軸１０１に挿通して揺動自在に取付けられているに過ぎないため、重なったパチンコ球が多いとその球圧により球ならし１０２が押されて揺動し、図８に示すように一段目と２段目のパチンコ球および球ならし１０２の重錘１０３による復帰作用力とが微妙にバランスして球詰りが発生し、パチンコ球払出装置にパチンコ球が供給されなくなるという問題点があった。
【０００４】
本発明は、従来技術の有するこのような問題点にかんがみてなされたものであり、その目的とするところは、タンクレールにパチンコ球が重なって流下しても該タンクレール内において球詰りを生じさせることのないようなパチンコ機のタンクレールに付設する球ならし構造を提供しようとするものである。
【０００５】
【課題を解決するための手段】
上記目的を達成するために、本発明に係るパチンコ機のタンクレールに付設する球ならし構造は、球ならしを支持部材と球ならし本体の二部材に分割して形成し、支持部材はタンクレールの上方の横軸の直径より大きく形成した軸通孔を有する筒部に支持片を一体に設けると共に、該支持片に短軸を突設し、球ならし本体はタンクレールの球通路の通路巾とほぼ等しい厚さを有する立体形とすると共に、上端に透孔を穿設し、球ならし本体の透孔を支持部材の短軸に挿通して該球ならし本体を支持部材に揺動自在に取付けると共に、支持部材の軸通孔を前記横軸に挿通して該支持部材を横軸に揺動自在に取付けるように構成したものである。
【０００６】
また、上記球ならし本体の透孔の直径は支持部材の短軸の直径より大きく形成するとよい。
【０００７】
また、上記球ならし本体の下部にローラを設けることが好ましい。
【０００８】
【作用】
上記のように構成されたパチンコ機のタンクレールに付設する球ならし構造は、タンクレールを重なって流下するパチンコ球が球ならし本体に接触すると、その球圧の状況変化に応じて球ならし本体が短軸を支点に揺動し、さらに支持部材が横軸を支点に球ならし本体と一体になって揺動してパチンコ球に常に流動作用を付与する。このため、タンクレールを重なって流下するパチンコ球の球圧と球ならし本体の重錘による復帰作用力とがバランスして球詰りを起こすようなことが少なくなりパチンコ球の整流がスムーズに行われる。
【０００９】
【実施例】
以下、図面を参照して本発明の実施例について説明する。図１は本発明が適用されるパチンコ機の裏面図であり、１はパチンコ機の前面枠、２は前面枠１の裏面に着脱自在に取付けられる遊技盤、３は遊技盤２の裏面に開閉自在に装着される合成樹脂製の機構板で、該機構板３の裏面上部には球タンク４が固着されている。また、球タンク４の下方に該球タンク４のパチンコ球を整列して導き出すタンクレール５が設けられており、該タンクレール５の下流端は屈曲レール６を介してパチンコ球払出装置７に接続されている。
【００１０】
前記タンクレール５は図２に示すように合成樹脂により機構板３に当接する後側壁８と底部９および前側壁１０とにより上面が開口した樋状に形成されると共に、底部９には長手方向に仕切壁１１を設けて２条の球通路１２ａ，１２ｂが形成されている。また、タンクレール５の下流側の上方に位置する機構板３の裏面には球通路１２ａ，１２ｂと直交状に横軸１３が一体に突出形成されている。この横軸１３は後述する球ならし１４を揺動自在に軸支するものであって、その先端がタンクレール５の前側壁１０内面に当接するようにその突出長さが選ばれる。
【００１１】
しかして、図示のタンクレール５に付設する球ならし１４は、支持部材１５と各タンクレール５の各球通路１２ａ，１２ｂにそれぞれ対応する球ならし本体１６ａ，１６ｂとにより構成される。前記支持部材１５は、本実施例の場合図３に示すように球ならし本体１６ａを支持する右半体１５ａと球ならし本体１６ｂを支持する左半体１５ｂとに二分割して形成されている。この支持部材１５の右半体１５ａと左半体１５ｂは前記横軸１３に挿通する軸通孔１５１ａ，１５１ｂをそれぞれ穿設した筒部１５２ａ，１５２ｂを有する。この各筒部１５２ａ，１５２ｂには外側端から下方に突出する支持片１５３ａ，１５３ｂを一体に形成し、各支持片１５３ａ，１５３ｂの互いに対向する内側面に短軸１５４ａ，１５４ｂを一体に突設している。
【００１２】
なお、前記短軸１５４ａ，１５４ｂの互いの突き合せ端部には小突起１５５ａと該小突起１５５ａを嵌める凹孔１５５ｂとが設けられている。また、前記左半体１５ｂの筒部１５２ｂの内端には軸通孔１５１ｂより大径とした嵌合孔１５６ｂと２本の突起片１５７ｂが形成されており、右半体１５ａの筒部１５２ａの内端には嵌合孔１５６ｂに嵌合する円筒部１５６ａと突起片１５７ｂが係合する係合凹部１５７ａが形成されている。
【００１３】
一方、球ならし本体１６ａ，１６ｂは全体形状を円形とし、かつ各球通路１２ａ，１２ｂの通路巾とほぼ等しい厚さの立体形として形成されている。そして、各上端に前記支持部材１５の短軸１５４ａ，１５４ｂに挿通する透孔１６１ａ，１６１ｂがそれぞれ穿設されている。また、球ならし本体１６ａ，１６ｂの外側面には支持部材１５の各支持片１５３ａ，１５３ｂに当接して揺動範囲を規制するストッパー部１６２ａ，１６６２ｂがそれぞれ形成されると共に、常に垂直方向に重心が位置するように重錘１６３ａ，１６３ｂがそれぞれ設けられている。
【００１４】
上記した支持部材１５の右半体１５ａと左半体１５ｂとは、各短軸１５４ａ，１５４ｂに球ならし本体１６ａ，１６ｂの透孔１６１ａ，１６１ｂを挿通して該各球ならし本体１６ａ，１６ｂを揺動自在に支持させる。そして、この状態で左半体１５ｂの嵌合孔１５６ｂと突起片１５７ｂおよび右半体１５ａの円筒部１５６ａと係合凹部１５７ａとを嵌合させることにより一体構造をなす球ならし１４を組立てる。そして、各筒部１５２ａ，１５２ｂの軸通孔１５１ａ，１５１ｂを前記タンクレール５の上方の横軸１３に挿通し、これによって球ならし１４を揺動自在に取付ける。なお、球ならし本体１６ａ，１６ｂの下端とタンクレール５の底部９上面との間の距離は図４に示すように各球通路１２ａ，１２ｂを一列で流下するパチンコ球が球ならし本体１６ａ，１６ｂに接触しないように該パチンコ球の直径より若干大となるように選ばれる。
【００１５】
以上のように構成された本発明によれば、多くのパチンコ球がタンクレール５の各球通路１２ａ，１２ｂを重なって流下し、その球圧により球ならし本体１６ａ，１６ｂをそれぞれ揺動させるようなことがあっても、各球ならし本体１６ａ，１６ｂはパチンコ球の球圧の状況変化に応じて図５（ａ）に示すように短軸１５４ａ，１５４ｂを支点に揺動し又は図５（ｂ）に示すように横軸１３を支点に支持部材１５と一体に揺動してパチンコ球に常に流動作用を付与することになるため、各球通路１２ａ，１２ｂを重なって流下するパチンコ球どうし又はこれらのパチンコ球と各球ならし本体１６ａ，１６ｂの復帰作用力がバランスして球詰りを起こすようなことが少なくなり、各球通路１２ａ，１２ｂのパチンコ球を確実に整流して流下させることができる。
【００１６】
図６（ａ），（ｂ），（ｃ）は本発明の他の実施例を示すもので、図６（ａ）は支持部材１５の軸通孔１５１ｂ（１５１ａ）の直径を横軸１３の直径より大きく形成したものであり、図６（ｂ）は球ならし本体１６ｂ（１６ａ）の透孔１６１ｂ（１６１ａ）の直径を支持部材１５の短軸１５４ｂ（１５４ａ）の直径より大きく形成したものである。また、図６（ｃ）は球ならし本体１６ｂ（１６ａ）の下端にローラー１６４ｂ（１６４ａ）を回転自在に取付けたものである。これらの実施例の場合、いずれも第１実施例よりさらに球通路１２ａ，１２ｂを重なって流下するパチンコ球に複雑な流動作用を付与することができ、球詰りを起こす確率をさらに少なくすることができる。
【００１７】
なお、本実施例では、タンクレール５の球通路を２列１２ａ，１２ｂとし、その各球通路１２ａ，１２ｂにそれぞれ球ならし本体１６ａ，１６ｂを設けた場合について例示したが、例えば球ならし部材を２列の球通路１２ａ，１２ｂの通路巾と等しい厚さの立体形として１個とするようにしてもよい。また、球通路が３列の場合、球ならし本体をそれぞれの球通路に個々に設けたり、２列の球通路用と１列の球通路用のものを組合せて使用するようにしてもよい。
【００１８】
【発明の効果】
以上、説明したところから明らかなように、本発明に係るパチンコ機のタンクレールに付設する球ならし構造は、タンクレールの上方の横軸に揺動自在に取付ける支持部材と該支持部材に揺動自在に取付ける球ならし本体との二部材に分割して形成し、該球ならし本体をそれ自体又は支持部材と一体に揺動し得るようにしたものであるから、タンクレールの球通路をパチンコ球が重なって流下してもその球圧状況に応じて複雑に揺動して確実にパンチコ球に流動作用を付与する。このため、タンクレール内で球詰りを起こすようなことが少なくなり、パチンコ球の整流を確実かつスムーズに行わせることができる。
【図面の簡単な説明】
【図１】本発明が適用されるパチンコ機の裏面図である。
【図２】図１のパチンコ機の要部の分解斜視図である。
【図３】球ならしの分解斜視図である。
【図４】球ならしの取付状態を示す要部断面図である。
【図５】（ａ），（ｂ）は球ならしの作用説明図である。
【図６】（ａ），（ｂ），（ｃ）は他の実施例の球ならしの取付状態を示す要部正面図である。
【図７】従来技術の説明図である。
【図８】従来技術の球詰り状態の説明図である。
【符号の説明】
５                    タンクレール
１２ａ，１２ｂ        球通路
１３                  横軸
１４                  球ならし
１５                  支持部材
１５１ａ，１５１ｂ    軸通孔
１５２ａ，１５２ｂ    筒部
１５３ａ，１５３ｂ    支持片
１５４ａ，１５４ｂ    短軸
１６ａ，１６ｂ        球ならし本体
１６１ａ，１６１ｂ    透孔
【図１】
0003569319.tif 000002
【図２】
0003569319.tif 000003
【図３】
0003569319.tif 000004
【図４】
0003569319.tif 000005
【図５】
0003569319.tif 000006
【図６】
0003569319.tif 000007
【図７】
0003569319.tif 000008
【図８】
0003569319.tif 000009